(57)【特許請求の範囲】
【請求項１】
主データが記録される主データ記録領域と、上記主データおよび記録媒体名を管理する管理領域とを備え、上記管理領域には文字情報として上記主データのトラック名および／または記録媒体名を所定文字数単位のスロットで分割し、分割された各々のスロットをリンク情報で結合する記録媒体に記録された上記トラック名および／または記録媒体名を更新する編集装置において、
上記記録媒体から上記管理データを再生する再生手段と、
上記記録媒体の上記管理データを記録する記録手段と、
ユーザーの入力操作がされる操作手段と、
上記操作手段にてトラック名の消去が指定された主データに対する上記再生手段にて再生される管理データのトラック名のエントリーポイントからリンクされるトラック名の終端となるスロットのリンク情報を上記再生手段にて再生される管理データの未使用領域情報に上記記録手段にて書き換えると共に、上記管理データの未使用領域情報を上記消去が指定された主データのトラック名のエントリーポイントに書き換えさらに上記消去が指定された主データのトラック名のエントリーポイントを消去する制御手段と
を備える編集装置。
【請求項２】
上記制御手段はさらに、上記記録媒体名の消去が上記操作手段にて指定された場合には、上記管理領域に記録された記録媒体名の最後のスロットのリンク情報を上記管理データの未使用領域情報に書き換えると共に上記管理データの未使用領域情報を上記記録媒体名のエントリーポイントに書き換えさらに上記記録媒体名のエントリーポイントを消去する
第１項記載の編集装置。
【請求項３】
主データが記録される主データ記録領域と、上記主データおよび記録媒体名を管理する管理領域とを備え、上記管理領域には文字情報として上記主データのトラック名および／または記録媒体名を所定文字数単位のスロットで分割し、分割された各々のスロットをリンク情報で結合する記録媒体に記録された上記トラック名および／または記録媒体名を更新する編集方法において、
ユーザー操作にて入力されるトラック名を消去する主データの選択を取得し、
取得されたトラック名の消去が指定された主データに対する上記再生手段にて再生される管理データのトラック名のエントリーポイントからリンクされるトラック名の終端となるスロットのリンク情報を上記再生手段にて再生される管理データの未使用領域情報に上記記録手段にて書き換えると共に、上記管理データの未使用領域情報を上記消去が指定された主データのトラック名のエントリーポイントに書き換え、
さらに上記消去が指定された主データのトラック名のエントリーポイントを消去する
編集方法。
【請求項４】
上記記録媒体名の消去の選択操作が取得された場合には、
上記管理領域に記録された記録媒体名の最後のスロットのリンク情報を上記管理データの未使用領域情報に書き換えると共に上記管理データの未使用領域情報を上記記録媒体名のエントリーポイントに書き換え、
さらに上記記録媒体名のエントリーポイントを消去する
第３項記載の編集方法。
【発明の詳細な説明】
【０００１】
【発明の属する技術分野】
本発明は、プログラム単位でデータが記録されると共に、プログラム単位でデータの記録／再生動作を管理するための管理情報が記録される光磁気ディスク等の記録媒体に対して、その管理情報における文字情報の編集を行うことのできる編集装置に関するものである。
【０００２】
【従来の技術】
各種記録媒体及びそれらに対応する記録再生装置が開発されているが、特に近年ミニディスクシステムとして知られているように、ユーザーが自由に音楽データ等を記録できるものも普及している。
【０００３】
このミニディスクシステムは、一般に音楽用等に用いられる例えば１つの楽曲が１つのプログラム（トラック）として記録されるが、録音した楽曲に対応させて、ユーザーが文字データを記録することができるようにされている。例えばユーザーが録音したディスクのディスクタイトルやアーティスト名、ユーザが録音した曲名等の文字情報を登録したり、或は消去したりする編集処理を行うことができるようにされ、文字情報を登録した場合は、再生時において再生装置に設けられた表示部にディスクタイトルやアーティスト名、曲名等の文字情報を表示できるようにしている。
【０００４】
【発明が解決しようとする課題】
しかしながら、従来の文字情報を消去する編集処理は、登録されている文字情報を全て消去するオールイレーズ機能とされているため、登録したディスクタイトルやアーティスト名、曲名などの文字情報のうち、例えば曲名を誤って登録した場合は、その誤って登録した曲名だけを消去することができなかった。
このため、例えば曲名を誤って登録した場合は、一度全ての文字情報を消去した後、新たに登録し直すか、或は文字情報を登録する文字入力モードで消去したい曲名を選択し、例えばスペースキーでスペースを１文字ずつ入力して消去するしかなく、非常に不便なものであった。
【０００５】
【課題を解決するための手段】
本発明はこのような問題点を鑑みてなされたものであり、登録されているアーティスト名や曲目ごとに文字情報を消去することができる編集機能を提供することを目的とする。
【０００６】
このため、主データが記録される主データ記録領域と、上記主データおよび記録媒体名を管理する管理領域とを備え、上記管理領域には文字情報として上記主データのトラック名および／または記録媒体名を所定文字数単位のスロットで分割し、分割された各々のスロットをリンク情報で結合する記録媒体に記録された上記トラック名および／または記録媒体名を更新する編集装置において、上記記録媒体から上記管理データを再生する再生手段と、上記記録媒体の上記管理データを記録する記録手段と、ユーザーの入力操作がされる操作手段と、上記操作手段にてトラック名の消去が指定された主データに対する上記再生手段手に再生される管理データのトラック名のエントリーポイントからリンクされるトラック名の終端となるスロットのリンク情報を上記再生手段にて再生される管理データの未使用領域情報に上記記録手段にて書き換えると共に、上記管理データの未使用領域情報を上記消去が指定された主データのトラック名のエントリーポイントに書き換えさらに上記消去が指定された主データのトラック名のエントリーポイントを消去する制御手段とを備えるようにした。
【０００７】
上記制御手段はさらに、上記記録媒体名の消去が上記操作手段にて指定された場合には、上記管理領域に記録された記録媒体名の最後のスロットのリンク情報を上記管理データの未使用領域情報に書き換えると共に上記管理データの未使用領域情報を上記記録媒体名のエントリーポイントに書き換えさらに上記記録媒体名のエントリーポイントを消去するように制御する。
【０００８】
【発明の実施の形態】
以下、本発明の編集装置の実施の形態について説明する。
この実施の形態としての例は光磁気ディスク（ミニディスク）を記録媒体として用い、編集装置としての機能を備えた記録再生装置とする。
【０００９】
先ず図１、図２によりミニディスク記録再生装置の構成について説明する。
図１は記録再生装置の外観例を示すものである。
この記録再生装置の前面パネルには液晶表示装置等による表示部２０が形成されている。この表示部２０には記録／再生しているディスクの動作状態、トラックナンバ、記録時間／再生時間、編集動作状態、再生モード等が示される。さらにミニディスクシステムではディスクに文字情報が記録できるが、その文字情報の入力の際の入力文字の表示や、ディスクから読み出した文字情報の表示などが実行される。
【００１０】
電源キー３３は記録再生装置の電源オン／オフの操作のために設けられる。
また前面パネルには記録再生装置にディスクを挿入し、またイジェクトキー３４の操作に応じてディスクが脱却されるディスク挿入部２２が設けられる。
【００１１】
またこの前面パネルには記録／再生に関する操作のための各種操作手段が設けられる。すなわち、一時停止キー２３、再生キー２４、停止キー２５、録音キー２６、頭だしアクセス動作を実行させるＡＭＳ操作ダイヤル２７（以下、「ジョグダイヤル」という）、高速再生動作を実行させるサーチキー２８などが設けられる。これらはいわゆる音声の記録／再生動作に関する基本的な操作キーとなる。
【００１２】
ジョグダイヤル２７は、その回転操作により、ＡＭＳ（頭だしサーチ）を指示する操作部となるが、エディット（編集）モードの１つである文字入力モード（ディスクネーム入力モードもしくはトラックネーム入力モード）においては、ジョグダイヤル２７の回転操作が、文字選択のためのインクリメント／デクリメント操作となる。
【００１３】
また、ジョグダイヤル２７は押圧操作可能とされ、この押圧操作はディスクネーム入力モード、トラックネーム入力モード、プログラム設定モード、マルチアクセス設定モードなどにおけるエンター操作として機能する。さらにジョグダイヤル２７は押圧操作は、再生キー２４の操作と同様に再生操作を兼ねるようにしてもよい。
【００１４】
これらの操作手段とともに、数字キー３９が設けられる。
この数字キー３９は例えば『１』キーから『２５』キー、及び２６以上の数字を入力するための『＞２５』キーが設けられる。
数字キー３９は、再生させるトラックナンバをダイレクトに選択する場合や、プログラム再生モード、マルチアクセス再生モードでのトラックナンバ選択などに用いることができる。
【００１５】
エディットモードの操作のためのキーとしてエディットキー２９、イエスキー３０、キャンセルキー３１が設けられる。
エディットキー２９は各種エディットモードの呼出し及び終了の操作のために用いられ、またイエスキー３０、キャンセルキー３１がエディット中の操作に用いられる。例えばイエスキー３０はエンター操作として、またキャンセルキー３１は取消操作として用いられる。
【００１６】
エディットモードとしては、ディスクや各トラックに対して曲名や名称などの文字を入力したり消去したりするネームモード、１つのトラックを複数のトラックに分割するディバイドモード、複数のトラックを１つのトラックに連結するコンバインモード、トラックを消去するイレーズモードなどがある。なお、後述するが本実施の形態である編集装置としての機能を備えた記録再生装置において、ディスクネーム或はトラックネームごとの消去を行う場合は、このエディットモードのネームモードの下位の階層に設けられているディスクネームイレーズモード、或はトラックネームイレーズモードを選択することによって行うことになる。
【００１７】
再生モードの操作のためのキーとして連続再生キー３５、プログラムキー３６、シャッフルキー３７、マルチアクセスキー３８が設けられる。
これらのキーを操作することで、再生モードが、連続再生モード、プログラム再生モード、シャッフル再生モード、マルチアクセス再生モードのいずれかが設定される。
【００１８】
なお、本例では説明上これらの操作手段を記録再生装置の前面パネルに配するようにしているが、例えば記録再生装置を赤外線などによるリモートコマンダーにより操作可能とし、そのリモートコマンダー上にこれらの操作手段を設けるようにしてもよい。
【００１９】
図１のようなミニディスク記録再生装置の内部構成を図２で説明する。
音声データが記録されている光磁気ディスク１は、スピンドルモータ２により回転駆動される。そして光磁気ディスク１に対しては記録／再生時に光学ヘッド３によってレーザ光が照射される。
【００２０】
光学ヘッド３は、記録時には記録トラックをキュリー温度まで加熱するための高レベルのレーザ出力を行ない、また再生時には磁気カー効果により反射光からデータを検出するための比較的低レベルのレーザ出力を行なう。
このため、光学ヘッド３にはレーザ出力手段としてのレーザダイオード、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００２１】
また、ディスク１を挟んで光学ヘッド３と対向する位置に磁気ヘッド６ａが配置されている。磁気ヘッド６ａは供給されたデータによって変調された磁界を光磁気ディスク１に印加する動作を行なう。
光学ヘッド３全体及び磁気ヘッド６ａは、スレッド機構５によりディスク半径方向に移動可能とされている。
【００２２】
再生動作によって、光学ヘッド３によりディスク１から検出された情報はＲＦアンプ７に供給される。ＲＦアンプ７は供給された情報の演算処理により、再生ＲＦ信号、トラッキングエラー信号ＴＥ、フォーカスエラー信号ＦＥ、グルーブ情報（光磁気ディスク１にプリグルーブ（ウォブリンググルーブ）として記録されている絶対位置情報）ＧＦＭ等を抽出する。
抽出された再生ＲＦ信号はエンコーダ／デコーダ部８に供給される。また、トラッキングエラー信号ＴＥ、フォーカスエラー信号ＦＥはサーボ回路９に供給され、グルーブ情報ＧＦＭはアドレスデコーダ１０に供給される。
【００２３】
サーボ回路９は供給されたトラッキングエラー信号ＴＥ、フォーカスエラー信号ＦＥや、マイクロコンピュータにより構成されるシステムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行ない、またスピンドルモータ２を一定線速度（ＣＬＶ）に制御する。
【００２４】
アドレスデコーダ１０は供給されたグルーブ情報ＧＦＭをデコードしてアドレス情報を抽出する。このアドレス情報はシステムコントローラ１１に供給され、各種の制御動作に用いられる。
また再生ＲＦ信号についてはエンコーダ／デコーダ部８においてＥＦＭ復調、ＣＩＲＣ等のデコード処理が行なわれるが、このときアドレス、サブコードデータなども抽出され、システムコントローラ１１に供給される。
【００２５】
エンコーダ／デコーダ部８でＥＦＭ復調、ＣＩＲＣ等のデコード処理された音声データ（セクターデータ）は、メモリコントローラ１２によって一旦バッファメモリ（ＲＡＭ）１３に書き込まれる。なお、光学ヘッド３によるディスク１からのデータの読み取り及び光学ヘッド３からバッファメモリ１３までの系における再生データの転送は1.41Mbit/secで、しかも通常は間欠的に行なわれる。
【００２６】
バッファメモリ１３に書き込まれたデータは、再生データの転送が0.3Mbit/sec となるタイミングで読み出され、エンコーダ／デコーダ部１４に供給される。そして、音声圧縮処理に対するデコード処理等の再生信号処理を施され、４４．１ＫＨZ サンプリング、１６ビット量子化のデジタルオーディオ信号とされる。
このデジタルオーディオ信号は例えばデジタル信号処理回路２１でイコライジング、リバーブ、ゲインなどの調整処理が行われた後、Ｄ／Ａ変換器１５によってアナログ信号とされ、出力端子１６から所定の増幅回路部へ供給されて再生出力される。例えばＬ，Ｒアナログオーディオ信号として出力される。
【００２７】
デジタル信号処理回路２１は、いわゆるＤＳＰ（デジタルシグナルプロセッサ）などで形成され、各種の多様な処理を行うことができる。例えば各種モードの音響設定でのイコライジング処理だけでなく、徐々にゲイン（出力音量レベル）を変化させることでフェードイン、フェードアウトなどの処理等も可能である。
なお、このような処理部をＤ／Ａ変換器１５の後段に設け、アナログ処理により行うようにしてもよい。
【００２８】
光磁気ディスク１に対して記録動作が実行される際には、入力端子１７に供給された記録信号（アナログオーディオ信号）は、Ａ／Ｄ変換器１８によってデジタルデータとされた後、エンコーダ／デコーダ部１４に供給され、音声圧縮エンコード処理を施される。
なお、図示していないがデジタルインターフェース部を設けてデジタルオーディオデータの入出力を行なうことももちろん可能である。
【００２９】
エンコーダ／デコーダ部１４によって圧縮された記録データはメモリコントローラ１２によって一旦バッファメモリ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００３０】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００３１】
操作部１９はユーザー操作に供される部位を示し、これは図１で説明したような各種操作キーやダイヤルに相当する。これらの操作キーやダイヤルによる操作情報はシステムコントローラ１１に供給され、システムコントローラ１１は操作情報に応じた動作制御を実行することになる。
また表示部２０は図１のように筺体上に設けられるもので、この表示動作はシステムコントローラ１１によって制御される。
システムコントローラ１１は、ＣＰＵ、プログラムＲＯＭ、ワークＲＡＭ、インターフェース部等を備えたマイクロコンピュータとされる。
【００３２】
ところで、ディスク１に対して記録／再生動作を行なう際には、ディスク１に記録されている管理情報、即ちＰ−ＴＯＣ（プリマスタードＴＯＣ）、Ｕ−ＴＯＣ（ユーザーＴＯＣ）を読み出す必要がある。システムコントローラ１１はこれらの管理情報に応じてディスク１上の記録すべきエリアのアドレスや、再生すべきエリアのアドレスを判別することとなる。
この管理情報はバッファメモリ１３に保持される。
そして、システムコントローラ１１はこれらの管理情報を、ディスク１が装填された際に管理情報の記録されたディスクの最内周側の再生動作を実行させることによって読み出し、バッファメモリ１３に記憶しておき、以後そのディスク１に対する記録／再生／編集動作の際に参照できるようにしている。
【００３３】
また、Ｕ−ＴＯＣはデータの記録や各種編集処理に応じて書き換えられるものであるが、システムコントローラ１１は記録／編集動作のたびに、Ｕ−ＴＯＣ更新処理をバッファメモリ１３に記憶されたＵ−ＴＯＣ情報に対して行ない、その書換動作に応じて所定のタイミングでディスク１のＵ−ＴＯＣエリアについても書き換えるようにしている。
【００３４】
上記したように、ディスク１に対して記録／再生動作を行なう際には、システムコントローラ１１は、ディスク１に記録されている管理情報としてＰ−ＴＯＣ、Ｕ−ＴＯＣ（ユーザーＴＯＣ）を読み出し、これを参照することになる。
ここで、ディスク１においてトラック（楽曲等）の記録／再生動作などの管理を行なう管理情報として、Ｕ−ＴＯＣセクターについて説明する。
【００３５】
なお、ＴＯＣ情報としてはＵ−ＴＯＣとＰ−ＴＯＣが設けられているが、このＰ−ＴＯＣはディスク１の最内周側のピットエリアに形成されるもので、読出専用の情報である。そして、Ｐ−ＴＯＣによってディスクの記録可能エリア（レコーダブルユーザーエリア）や、リードアウトエリア、Ｕ−ＴＯＣエリアなどの位置の管理等が行なわれる。また、ミニディスクシステムでは、全てのデータがピット形態で記録されている再生専用の光ディスクも使用できるが、再生専用ディスクの場合は、Ｐ−ＴＯＣによってＲＯＭ化されて記録されている楽曲の管理も行なうことができるようにされ、Ｕ−ＴＯＣは形成されない。
Ｐ−ＴＯＣについては詳細な説明を省略し、ここでは記録可能な光磁気ディスクに設けられるＵ−ＴＯＣについて説明する。
【００３６】
図３はＵ−ＴＯＣセクター０のフォーマットを示すものである。
なお、Ｕ−ＴＯＣセクターとしてはセクター０〜セクター７まで設けることができ、後述するようにセクター１，セクター４は文字情報、セクター２は録音日時を記録するエリアとされる。
まず最初に、ディスク１の記録／再生動作に必ず必要となるＵ−ＴＯＣセクター０について説明する。
【００３７】
Ｕ−ＴＯＣセクター０は、主にユーザーが録音を行なった楽曲や新たに楽曲が録音可能なフリーエリアについての管理情報が記録されているデータ領域とされる。
例えばディスク１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００３８】
Ｕ−ＴＯＣセクター０のデータ領域（４バイト×588 の２３５２バイト）は、先頭位置にオール０又はオール１の１バイトデータが並んで形成される同期パターンが記録される。
続いてクラスタアドレス(Cluster H) (Cluster L) 及びセクターアドレス(Sector)となるアドレスや、モード情報(MODE)が４バイト付加され、以上でヘッダとされる。
【００３９】
セクターとは、上述のように２３５２バイトのデータ単位であり、３６セクターが１クラスタとなる。同期パターンやアドレスについては、このＵ−ＴＯＣセクター０に限らず、Ｐ−ＴＯＣセクターや、実際に音声データが記録されるデータセクターでも、そのセクター単位に記録されている。
クラスタアドレスは、上位アドレス(Cluster H) と下位アドレス(Cluster L) の２バイトで記され、セクターアドレス(Sector)は１バイトで記される。
続いて所定バイト位置に、メーカーコード、モデルコード、最初のトラックのトラックナンバ(First TNO）、最後のトラックのトラックナンバ（Last TNO）、セクター使用状況(Used sectors)、ディスクシリアルナンバ、ディスクＩＤ等のデータが記録される。
【００４０】
さらに、ユーザーが録音を行なって記録されているトラック（楽曲等）の領域やフリーエリア等を後述する管理テーブル部に対応させることによって識別するため、対応テーブル指示データ部として各種のテーブルポインタ(P-DFA，P-EMPTY ，P-FRA ，P-TNO1〜P-TNO255) が記録される領域が用意されている。
【００４１】
そしてテーブルポインタ(P-DFA〜P-TNO255) に対応させることになる管理テーブル部として(01h) 〜(FFh) までの２５５個のパーツテーブルが設けられ、それぞれのパーツテーブルには、或るパーツについて起点となるスタートアドレス、終端となるエンドアドレス、そのパーツのモード情報（トラックモード）が記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
【００４２】
なお、本明細書において『ｈ』を付した数値はいわゆる１６進表記のものである。また、パーツとは１つのトラック内で時間的に連続したデータが物理的に連続して記録されているトラック部分のことをいう。
【００４３】
この種の記録再生装置では、１つの楽曲のデータを物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。
【００４４】
そのため、リンク情報が設けられ、例えば各パーツテーブルに与えられたナンバ(01h) 〜(FFh) によって、連結すべきパーツテーブルを指定することによってパーツテーブルが連結できるようになされている。
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理はなされる。
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
【００４５】
Ｕ−ＴＯＣセクター０の管理テーブル部における(01h) 〜(FFh) までの各パーツテーブルは、対応テーブル指示データ部におけるテーブルポインタ(P-DFA，P-EMPTY ，P-FRA ，P-TNO1〜P-TNO255) によって、以下のようにそのパーツの内容が示される。
【００４６】
テーブルポインタP-DFA は光磁気ディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタP-DFA において(01h) 〜(FFh) のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『(00h) 』とされ、以降リンクなしとされる。
【００４７】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTY として、(01h) 〜(FFh) のうちのいづれかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００４８】
テーブルポインタP-FRA は光磁気ディスク１上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタP-FRA において(01h) 〜(FFh) のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『(00h) 』となるパーツテーブルまで順次指定されている。
【００４９】
図４にパーツテーブルにより、フリーエリアとなるパーツの管理状態を模式的に示す。これはパーツ(03h)(18h)(1Fh)(2Bh)(E3h) がフリーエリアとされている時に、この状態がテーブルポインタP-FRA に引き続きパーツテーブル(03h)(18h)(1Fh)(2Bh)(E3h) のリンクによって表現されている状態を示している。なお上記した欠陥領域や未使用パーツテーブルの管理形態もこれと同様となる。
【００５０】
ところで、全く楽曲等の音声データの記録がなされておらず欠陥もない光磁気ディスクであれば、テーブルポインタP-FRA によってパーツテーブル(01h) が指定され、これによってディスクのレコーダブルユーザーエリアの全体がフリーエリアであることが示される。そして、この場合残る(02h) 〜(FFh) のパーツテーブルは使用されていないことになるため、上記したテーブルポインタP-EMPTY によってパーツテーブル(02h) が指定され、また、パーツテーブル(02h) のリンク情報としてパーツテーブル(03h) が指定され・・・・・・、というようにパーツテーブル(FFh) まで連結される。この場合パーツテーブル(FFh) のリンク情報は以降連結なしを示す『(00h) 』とされる。
なお、このときパーツテーブル(01h) については、スタートアドレスとしてはレコーダブルユーザーエリアのスタートアドレスが記録され、またエンドアドレスとしてはリードアウトスタートアドレスの直前のアドレスが記録されることになる。
【００５１】
テーブルポインタP-TNO1〜P-TNO255は、光磁気ディスク１にユーザーが記録を行なった楽曲などのトラックについて示しており、例えばテーブルポインタP-TNO1では第１トラックのデータが記録された１又は複数のパーツのうちの時間的に先頭となるパーツが示されたパーツテーブルを指定している。
例えば第１トラックとされた楽曲がディスク上でトラックが分断されずに、つまり１つのパーツで記録されている場合は、その第１トラックの記録領域はテーブルポインタP-TNO1で示されるパーツテーブルにおけるスタート及びエンドアドレスとして記録されている。
【００５２】
また、例えば第２トラックとされた楽曲がディスク上で複数のパーツに離散的に記録されている場合は、その第２トラックの記録位置を示すため各パーツが時間的な順序に従って指定される。つまり、テーブルポインタP-TNO2に指定されたパーツテーブルから、さらにリンク情報によって他のパーツテーブルが順次時間的な順序に従って指定されて、リンク情報が『(00h) 』となるパーツテーブルまで連結される（上記、図４と同様の形態）。
【００５３】
このように例えば２曲目を構成するデータが記録された全パーツが順次指定されて記録されていることにより、このＵ−ＴＯＣセクター０のデータを用いて、２曲目の再生時や、その２曲目の領域への上書き記録を行なう際に、光学ヘッド３及び磁気ヘッド６をアクセスさせ離散的なパーツから連続的な音楽情報を取り出したり、記録エリアを効率使用した記録が可能になる。
【００５４】
以上のように、書換可能な光磁気ディスク１については、ディスク上のエリア管理はＰ−ＴＯＣによってなされ、またレコーダブルユーザーエリアにおいて記録された楽曲やフリーエリア等はＵ−ＴＯＣにより行なわれる。
【００５５】
次に、図５にＵ−ＴＯＣセクター１のフォーマットを示す。このセクター１は録音された各トラックにトラックネームをつけたり、ディスクタイトルをつける場合に、入力された文字情報を記録するデータ領域とされる。
【００５６】
このＵ−ＴＯＣセクター１には、記録された各トラックに相当する文字スロット指示データ部としてスロットポインタP-TNA1〜P-TNA255が用意され、またこのスロットポインタP-TNA1〜P-TNA255によって指定される文字スロット部が１単位８バイトで２５５単位のスロット(01h) 〜(FFh) として用意されており、上述したＵ−ＴＯＣセクター０とほぼ同様の形態で文字データを管理する。
【００５７】
スロット(01h) 〜(FFh) にはディスクタイトルやトラックネームとしての文字情報がアスキーコードで記録される。なお、スロット(01h) の前の８バイトはディスクネームの専用エリアとされている。
そして、例えばスロットポインタP-TNA1によって指定されるスロットには第１トラックに対応してユーザーが入力した文字が記録されていることになる。また、スロットがリンク情報によりリンクされることで、１つのトラックに対応する文字入力は７バイト（７文字）より大きくなっても対応できる。
なお、このＵ−ＴＯＣセクター１でもスロットポインタP-EMPTY は使用していない文字スロットを管理するものである。
【００５８】
次に、図６はＵ−ＴＯＣセクター２のフォーマットを示しており、このセクター２は、主にユーザーが録音を行なった楽曲の録音日時を記録するデータ領域とされる。
このＵ−ＴＯＣセクター２には、記録された各楽曲に相当する日時スロット指示データ部としてスロットポインタP-TRD1〜P-TRD255が用意され、またこのスロットポインタP-TRD1〜P-TRD255によって指定される日時スロット部が用意される。日時スロット部には１単位８バイトで２５５単位のスロット(01h) 〜(FFh) が形成されており、上述したＵ−ＴＯＣセクター０とほぼ同様の形態で日時データを管理する。
【００５９】
スロット(01h) 〜(FFh) には楽曲（トラック）の録音日時が６バイトで記録される。６バイトはそれぞれ１バイトづつ、年、月、日、時、分、秒に相当する数値が記録される。また、残りの２バイトはメーカーコード及びモデルコードとされ、その楽曲を録音した記録装置の製造者を示すコードデータ、及び録音した記録装置の機種を示すコードデータが記録される。
なお、スロット(01h) の前の８バイトのスロットはディスクに対しての録音日時データのためのエリアとされている。
【００６０】
例えばディスクに曲が第１曲目としてが録音されると、スロットポインタP-TRD1によって指定されるスロットにはその録音日時及び録音装置のメーカーコード、モデルコードが記録される。録音日時データはシステムコントローラ１１が内部時計を参照して自動的に記録することになる。
【００６１】
なお、このＵ−ＴＯＣセクター２でもスロットポインタP-EMPTY は使用していないスロットを管理するものである。使用されていないスロットについては、モデルコードに代えてリンク情報が記録されており、スロットポインタP-EMPTY を先頭に各未使用のスロットがリンク情報でリンクされて管理されている。
【００６２】
次に、図７に示すＵ−ＴＯＣセクター４は、上記したＵ−ＴＯＣセクター１と同様に、ユーザーが録音を行なった楽曲に曲名をつけたり、ディスクタイトルをつける場合に、入力された文字データを記録するデータ領域とされ、フォーマットは図５に示したＵ−ＴＯＣセクター１とほぼ同様とされている。
ただし、このＵ−ＴＯＣセクター４には、漢字や欧州文字に対応するキャラクタコードデータが記録されるものであるため、図５のＵ−ＴＯＣセクター１のデータに加えて、所定バイト位置にキャラクタコードとして使用する文字コード（char.code ）の属性が記録される。
【００６３】
このＵ−ＴＯＣセクター４の文字データの管理は、Ｕ−ＴＯＣセクター１と同様に文字スロット指示データ部としてスロットポインタP-TNA1〜P-TNA255が用意され、このスロットポインタP-TNA1〜P-TNA255によって指定される２５５単位のスロット(01h) 〜(FFh) によって行なわれる。
【００６４】
次に、上記したような本実施の形態である編集装置を備えた記録再生装置において、ユーザーがＵ−ＴＯＣセクター１若しくはＵ−ＴＯＣセクター４で管理されているトラックネームやディスクネームなどの文字データを任意に指定して消去するネームイレーズの処理手順を図８に示すフローチャートを参照しながら説明する。
【００６５】
先ず、ユーザーがエディットキー２９を操作して、各種エディットモードの中からネームモードを表示部２０表示させた状態で、イエスキー３０を操作することによってネームモードが選択される（F001）。次に、ネームモードが選択された状態でエディットキー２９を操作すると、表示部２０にはディスクネームやトラックネームを入力するための文字入力モード、登録されている文字データを消去する文字消去モードが表示され、ネーム消去モードを表示部２０に表示させた状態でイエスキー３０を操作することによって文字消去モードが選択される（F002）。そして、文字消去モードが選択された状態でエディットキー２９を操作すると、表示部２０にディスクネームを消去するためのディスクネームイレーズモード、トラックネームを消去するトラックネームイレーズモード、及び全てのネームを消去するオールネームイレーズモードが表示される。
【００６６】
ここで、ユーザーが表示部２０に表示されるディスクネームイレーズモード、トラックネームイレーズモード、オールネームイレーズモードの中からエディットキー２９及びイエスキー３０を操作してトラックネームイレーズモードを選択すると（F003）、ネームを消去したいトラックのトラックナンバー（Ｘ）（すなわちスロットポインタP-TNA(X)のＸに相当する値）の入力が要求される（F004）。そして、ユーザーが数字キー３９等によってトラックナンバーを入力すると、システムコントローラ１１の処理としては、トラック（Ｘ）に付随する文字スロットの文字データの消去が行われるようにＵ−ＴＯＣセクター１又はＵ−ＴＯＣセクター４を更新することになる（F005，F006）。
【００６７】
一方、ステップF003でユーザーがディスクネームイレーズモードを選択した場合は、ディスクネームが記録された文字スロットの文字データが消去されるように、Ｕ−ＴＯＣセクター１又はＵ−ＴＯＣセクター４が更新される（F007）。また、ユーザーがステップF003でオールネームイレーズモードを選択した場合は、全ての文字スロットに記録された文字データが消去されるように、Ｕ−ＴＯＣセクター１又はＵ−ＴＯＣセクター４が更新される（F008）。
【００６８】
なお、ステップF006、F007、F008でのＵ−ＴＯＣの更新処理は、先ずバッファメモリ１３上に保持されているＵ−ＴＯＣデータに対して行われ、その後所定の時点で更新されたＵ−ＴＯＣデータが記録データとして読み出され、ディスク上に書込まれる（ディスク上でＵ−ＴＯＣが更新されることになる）。
【００６９】
次に、上記したような処理手順によって、ステップF006のトラックネームイレーズ処理が行われた場合のＵ−ＴＯＣセクター１若しくはＵ−ＴＯＣセクター４で管理されている文字データの更新処理動作の一例を図９に示すフローチャートを用いて説明する。
【００７０】
図９は、ステップF006での詳しい処理例を示している。
ユーザーによってトラックネームイレーズモードが選択され、トラックナンバーの入力要求に対して数字キー３９から所定の数字『Ｘ』が入力された場合は、先ずトラック（Ｘ）に対応するスロットポインタP-TNA(X)で示される文字スロットのリンク情報の確認を行って（F111）、リンク情報が(00h) であるかどうか判別する（F112）。
【００７１】
ここで、スロットポインタP-TNA(X)で示される文字スロットのリンク情報が『(00h) 』でないと判別すると、次にそのリンク情報で示された文字スロットのリンク情報の確認を行い（F113）、再びステップF112に戻ってリンク情報が(00h) であるかどうかを判別することになる。この処理動作はステップF112で文字スロットのリンク情報が(00h) と判別されるまで行われる。
そしてステップF112でリンク情報が(00h) と判別されると、ステップF114に移行してリンク情報(00h) が書込まれていた文字スロットのリンク情報にスロットポインタP-EMPTY の値を書込む（F114）。さらに、スロットポインタP-EMPTY にスロットポインタP-TNA(X)の値を書込み、スロットポインタP-TNA(X)に(00h) を書込む（F115，F116）。
【００７２】
この処理によって実行されるＵ−ＴＯＣセクターの更新例を図１０、図１１に示す。先ず、図１０のように文字情報が記録されているとする。
すなわち、スロットポインタP-TNA1では例えばトラック１に記録されたデータに対応するトラックネームを管理しており、このスロットポインタP-TNA1で示される文字スロット(01h) には７バイト分の文字データ『ＡＢＣＤＥＦＧ』が記録さている。また文字スロット(01h) のリンク情報には、(02h) が書込まれており、このリンク情報で示された文字スロット(02h) には２バイト分の文字データ『ＨＩ』が記録されている。つまり、スロットポインタP-TNA1を起点として、トラック１に記録されたデータに対応したトラックネームである、文字スロット(01h) 、(02h) に記録されている９バイトの文字データ「ＡＢＣＤＥＦＧＨＩ」を管理している。さらに、スロットポインタP-TNA2では例えばトラック２に記録されたデータに対応したトラックネームを管理しており、このスロットポインタP-TNA2で示される文字スロット(03h) には３バイトの文字データ『ＸＹＺ』が記録されている。さらにまた、スロットポインタP-EMPTY で示される(04h) により、未使用スロット(04h) 〜(FFh) が管理されている。
【００７３】
このようなデータ例によって管理されているＵ−ＴＯＣセクター１若しくはセクター４の文字データのうち、例えばトラック１に対応した９バイト分の文字データ「ＡＢＣＤＥＦＧＨＩ」を消去する場合は、ユーザーはトラックネームイレーズモードを選択して、トラックナンバーの入力要求に対して『１』を入力する。この場合は、まず図９のステップF111に示したようにトラック１に対応したスロットポインタP-TNA1で示される文字スロット(01h) のリンク情報が確認される。この例では文字スロット(01h) のリンク情報に(02h) が書込まれているため、ステップF113に移行してリンク情報で示された文字スロット(02h) のリンク情報が確認されることになる。
【００７４】
文字スロット(02h) のリンク情報には、以降連結なしを示す(00h) が書込まれているため、ステップF114に移行して図１１に示すように文字スロット(02h) のリンク情報にスロットポインタP-EMPTY に書込まれていた(04h) が書込まれ、スロットポインタP-EMPTY にはスロットポインタP-TNA1に書込まれていた(01h) が書込まれ、スロットポインタP-TNA1には(00h) が書込まれて（F114、F115、F116）、データ内容が更新されることになる。なお、図１０及び図１１においては、『(00h) 』は、『−』と表記している。
【００７５】
つまり、この場合は、図１１にハッチングを施して示したスロットポインタP-EMPTY 、P-TNA1及び文字スロット(02h) の内容だけを書き換えることによって、トラック１に対応した文字データが書込まれていた文字スロット(01h) (02h) をスロットポインタP-EMPTY からリンクされる未使用スロットに組み込むようにしている。
【００７６】
従って、図１１に（  ）で示したように実際に各文字スロットの７バイト分の文字データが消去されなくても、文字データの消去が実現されたことになる。
もちろん、実際に文字スロットの文字データ部分の消去を行うようにしても良い。
【００７７】
なお、詳細な説明は省略するがディスクイレーズモードを選択してディスクネームを消去する場合も、同様の処理動作によってディスクネームが書込まれていた文字スロットをスロットポインタP-EMPTY からリンクされる未使用スロットとして組み込むようにすれば実現することができる。
【００７８】
また、上記したトラックネーム若しくはディスクネームが管理されているＵ−ＴＯＣセクター１若しくはセクター４の文字情報の消去のための更新処理は、あくまでも一例であり、ほかにも更新処理例は考えられるものである。
さらにまた、本実施の形態においては、編集装置を記録再生装置におけるシステムコントローラー１１の制御により実現するようにしたが、記録再生装置とは別に専用装置として実現することも当然可能である。
さらにまた、本実施の形態においては、ミニディスクにおいて本発明を適用した場合について説明したが、本発明は管理情報によって文字情報が管理されるシステムであれば適用できるものであり、記録媒体がディスク状記録媒体以外、例えばテープ状記録媒体や個体メモリ形態に対応する記録装置に対しても適用ずることができる。
【００７９】
【発明の効果】
以上説明したように、本発明の編集装置は、ユーザが記録媒体に対する文字情報若しくはプログラム（トラック）単位で記録されたデータに対応させて記録された文字情報を指定する指定操作手段を設け、この指定操作手段で指定した文字情報のみを管理情報更新手段によって消去するようにしているため、記録媒体に対する文字情報、或はプログラム単位で記録されたデータに対応して記録された文字情報ごとに消去することができ、文字情報の編集処理を容易に行うことができるようになる。
【図面の簡単な説明】
【図１】本発明の実施の形態である記録再生装置の外観例を示した図である。
【図２】図１に示したミニディスク記録再生装置の内部構成を示した図である。
【図３】Ｕ−ＴＯＣセクター０のフォーマットを示した図である。
【図４】パーツテーブルによりフリーエリアとなるパーツの管理状態を模式的に示した図である。
【図５】Ｕ−ＴＯＣセクター１のフォーマットを示した図である。
【図６】Ｕ−ＴＯＣセクター２のフォーマットを示した図である。
【図７】Ｕ−ＴＯＣセクター４のフォーマットを示した図である。
【図８】トラックネームイレーズの処理手順を示したフローチャート図である。
【図９】Ｐ−ＴＯＣセクター１若しくはＰ−ＴＯＣセクター４で管理されている文字データの更新処理動作を示したフローチャート図である。
【図１０】文字データを管理しているＵ−ＴＯＣセクター１若しくはＰ−ＴＯＣセクター４の編集前の管理状態を示した図である。
【図１１】文字データを管理しているＵ−ＴＯＣセクター１若しくはＰ−ＴＯＣセクター４の編集後の管理状態を示した図である。
【符号の説明】
１  光磁気ディスク，２  スピンドルモータ，３  光学ヘッド，３ａ  対物レンズ，４  ２軸機構，５  スレッド機構，６  磁気ヘッド駆動回路，６ａ  磁気ヘッド，７  ＲＦアンプ，８  １４  エンコーダ／デコーダ部，９  サーボ回路，１０  アドレスデコーダ，１１  システムコントローラ，１３  バッファメモリ，１５  Ｄ／Ａ変換器，１６  出力端子，１７入力端子，１８  Ａ／Ｄ変換器，１９  操作部，２０  表示部，２１  デジタル信号処理回路，２２  ディスク挿入部，２３  一時停止キー，２４  再生キー，２５  停止キー，２６  録音キー，２７  ジョグダイヤル，２８  サーチキー，２９  エディットキー，３０  イエスキー，３１  キャンセルキー，３３  電源キー，３４  イジェクトキー，３５  連続再生キー，３６  プログラムキー，３７  シャッフルキー，３８  マルチアクセスキー，３９  数字キー，
【図１】
0003711676.tif 000002
【図２】
0003711676.tif 000003
【図３】
0003711676.tif 000004
【図４】
0003711676.tif 000005
【図５】
0003711676.tif 000006
【図６】
0003711676.tif 000007
【図７】
0003711676.tif 000008
【図８】
0003711676.tif 000009
【図９】
0003711676.tif 000010
【図１０】
0003711676.tif 000011
【図１１】
0003711676.tif 000012